(57)【要約】    【課題】常に安定してゴミを吸い込むことのできる電気掃除機およびその吸引ヘッドを提供すること。    【解決手段】吸引ヘッド３には、ロータリブラシ９を回転可能に保持する保持ケース１７が備えられている。保持ケース１７の上部には、凸部２１が形成されている。また、保持ケース１７内には、レバー２２が設けられている。レバー２２の下面には、接合面２３と、接合面２３から上方に窪む凹部２４とが形成されている。また、レバー２２の上面には、上方に突出する操作部２５が設けられている。これにより、操作部２５を操作することにより、レバー２２の接合面２３が凸部２１に当接し、または凹部２４が凸部２１に係合して、保持ケース１７が上下に移動され、吸込み口７からの毛束１５の露出量が調整される。【選択図】            図４
2006174859.tif 000002
【特許請求の範囲】
【請求項１】
下面に吸込み口が形成されたヘッドケースと、
上記ヘッドケース内に備えられたロータリブラシであって、回転軸および回転軸の周面に植立された多数の毛束を有し、上記吸込み口に回転軸の周面の一部が臨んでいる回転可能なロータリブラシと、
上記ロータリブラシの毛束の先端が、上記吸込み口から下方に露出する露出量を調整する調整手段と、を含むことを特徴とする電気掃除機の吸引ヘッド。
【請求項２】
上記調整手段は、上記ロータリブラシを上記ヘッドケース内で上下に変位させる変位手段を含むことを特徴とする請求項１に記載の電気掃除機の吸引ヘッド。
【請求項３】
上記変位手段は、
上記ロータリブラシの回転軸を保持する保持手段と、
上記ロータリブラシが上方へ変位するように、上記保持手段を付勢する付勢手段と、
上記ヘッドケースの外方に操作部を有し、当該操作部を操作することによって、上記付勢手段の付勢力に抗して、上記ロータリブラシが下方に変位するように上記保持手段を変位させる操作手段と、を含むことを特徴とする請求項２に記載の電気掃除機の吸引ヘッド。
【請求項４】
請求項１〜３のいずれかに記載の吸引ヘッドが、掃除機本体の下部に回動自在に取付けられていることを特徴とするアップライト型電気掃除機。
【請求項５】
掃除機本体と、
上記掃除機本体に取付けられた吸引ヘッドと、を備え、
上記吸引ヘッドは、
上記掃除機本体の先端側に連結され、その下面に開口が形成された外ケースと、
下方に吸込み口が形成され、外ケース内で上下に移動自在で、かつ、回動自在に設けられた内ケースと、
上記内ケース内に収容されたロータリブラシと、を含むことを特徴とする電気掃除機。
【請求項６】
上記内ケースの吸込み口は、その周囲が隙間なく床面に当接し得るように、平坦にされていることを特徴とする請求項５に記載の電気掃除機。
【請求項７】
上記内ケースを下方へ付勢する付勢手段を有することを特徴とする請求項５または６に記載の電気掃除機。
【請求項８】
上記外ケースは、上記掃除機本体に回動可能に取付けられていることを特徴とする請求項５〜７に記載の電気掃除機。
【請求項９】
掃除機本体と、
上記掃除機本体に取付けられた吸引ヘッドと、を備え、
上記吸引ヘッドには、その先端側に、上記吸引ヘッドに対して上下に可動し、床面に常時接触し得るシャッタが設けられていることを特徴とする電気掃除機。
【請求項１０】
上記シャッタを下方へ付勢する付勢手段を有することを特徴とする請求項９に記載の電気掃除機。
【請求項１１】
上記吸引ヘッドは、上記掃除機本体に回動可能に取付けられていることを特徴とする請求項９または１０に記載の電気掃除機。
【発明の詳細な説明】
【技術分野】
【０００１】
この発明は、電気掃除機およびその吸引ヘッドに関する。
【背景技術】
【０００２】
電気掃除機は、一般的に、床面に沿うように移動することで床面上のゴミを吸い込むことのできる吸引ヘッドを備えており、近年、吸引ヘッドにロータリブラシが設けられた電気掃除機が広く利用されている。
吸引ヘッドの下面には、ゴミを吸い込むための吸込み口が形成されており、この吸込み口にロータリブラシの一部が臨んでいる。ロータリブラシには、ベルトやプーリ等を介してモータの駆動力が伝達されるようになっており、モータが駆動することによりロータリブラシが回転する。また、ロータリブラシの周面には複数の毛束が植立されており、ロータリブラシが回転することにより、毛束が床面上のゴミを掻き上げ、そのゴミが吸込み口から吸引ヘッドに吸い込まれていく。これにより、床面上のゴミが良好に吸引ヘッド内に吸い込まれる。この種の電気掃除機が特許文献１に記載されている。
【特許文献１】特開２００１−１７８６６５号公報
【発明の開示】
【発明が解決しようとする課題】
【０００３】
ところで、掃除を行う床面は、絨毯であったり、フローリング等のハードフロアであったりする。たとえば、絨毯上を掃除する場合には、ロータリブラシの毛束が吸込み口から大きく突出する方が、絨毯上のゴミをより多く掻き上げることができ、良好に掃除を行うことができる。一方、ハードフロア上を掃除する場合には、ロータリブラシの毛束が吸込み口から突出しすぎていると、毛束がハードフロアに当たり吸引ヘッドに振動が生じ、吸込み性能も悪くなる。さらに、毛束がハードフロアを高速でたたく為、ハードフロアに傷がついたり騒音が大きくなったりする。つまり、良好に掃除を行うためには、吸込み口から突出するロータリブラシの毛束の突出量（露出量）が、掃除を行う床面の種類に応じたものであることが好ましい。
【０００４】
しかしながら、上記特許文献１に記載の電気掃除機では、吸込み口から突出するロータリブラシの毛束の突出量は常に一定であるため、掃除を行う床面の状態に応じてその突出量を調整して掃除を行うことができない。
また、掃除を行っている際に、ユーザの操作によっては、吸引ヘッドが床面から浮き上がり、床面と吸込み口との間の隙間が大きくなって密閉度が低くなり、吸込み性能が悪くなることがある。
【０００５】
このような場合にも、上記特許文献１に記載の電気掃除機では、吸込み口が吸引ヘッドに固定されているため、床面と吸込み口との間の密閉度が低くなるのを防止することができない。
この発明は、かかる背景のもとになされたもので、常に安定してゴミを吸い込むことのできる電気掃除機およびその吸引ヘッドを提供することを目的とする。
【課題を解決するための手段】
【０００６】
上記目的を達成するための請求項１に記載の発明は、下面に吸込み口（７）が形成されたヘッドケース（１３）と、上記ヘッドケース内に備えられたロータリブラシ（９）であって、回転軸（１４）および回転軸の周面に植立された多数の毛束（１５）を有し、上記吸込み口に回転軸の周面の一部が臨んでいる回転可能なロータリブラシと、上記ロータリブラシの毛束の先端が、上記吸込み口から下方に露出する露出量を調整する調整手段と、を含むことを特徴とする電気掃除機（１）の吸引ヘッド（３）である。
【０００７】
なお、括弧内の英数字は、後述の実施形態における対応構成要素などを表す。以下、この項において同じ。
この構成によれば、調整手段によって、吸込み口から下方に露出する毛束の露出量を調整することができる。よって、床面の状態に応じて、吸込み口から露出する毛束の露出量を調整することで、常に安定してゴミを吸い込むことができる。たとえば、床面が絨毯である場合には、吸込み口から露出する毛束の露出量を大きくすることで、絨毯表面に吸込み口が密閉した状態で、ロータリブラシの毛束が絨毯を掻き上げるように動き、絨毯上やその中に貯まったゴミを良好に掻き上げて吸引ヘッド内に吸い込むことができる。また、床面がフローリング等のハードフロアである場合には、吸込み口から露出する毛束の露出量を小さくすることで、ハードフロアをたたく毛束の量を少なくして、ハードフロアが傷むのを防いだり、騒音が大きくなるのを防いだりすることができる。また、毛束の露出量が小さく、毛束が吸込み口から下方に突出しないようにすれば、ハードフロアと吸込み口との密閉度を高く保つことができ、吸引力の低下を招かない。
【０００８】
請求項２に記載の発明は、上記調整手段は、上記ロータリブラシ（９）を上記ヘッドケース（１３）内で上下に変位させる変位手段を含むことを特徴とする請求項１に記載の電気掃除機（１）の吸引ヘッド（３）である。
この構成によれば、変位手段によりロータリブラシを上下に変位させることで、吸込み口から露出する毛束の露出量を調整することができる。
【０００９】
請求項３に記載の発明は、上記変位手段は、上記ロータリブラシ（９）の回転軸（１４）を保持する保持手段（１７）と、上記ロータリブラシが上方へ変位するように、上記保持手段を付勢する付勢手段（２０）と、上記ヘッドケースの外方に操作部（２５）を有し、当該操作部を操作することによって、上記付勢手段の付勢力に抗して、上記ロータリブラシが下方に変位するように上記保持手段を変位させる操作手段（２２）と、を含むことを特徴とする請求項２に記載の電気掃除機（１）の吸引ヘッド（３）である。
【００１０】
この構成によれば、操作部を操作することで、付勢手段の付勢力に抗して保持手段を下方に変位させることができる。よって、簡易な操作で保持手段により保持されたロータリブラシを下方に変位させることができる。
また、請求項４に記載の発明のように、請求項１〜３のいずれかに記載の吸引ヘッド（３）が、掃除機本体（２）の下部に回動自在に取付けられていることを特徴とするアップライト型電気掃除機（１）であれば、掃除時に掃除機本体を上下に動かしても、吸引ヘッドは床面に沿った状態を保ち、良好に掃除を行うことができる。
【００１１】
なお、請求項１〜３のいずれかに記載の吸引ヘッドを、一端が掃除機本体に接続されたホースの他端に接続し、そのホースを介して掃除機本体に接続することもできる。すなわち、請求項１〜３のいずれかに記載の吸引ヘッドをアップライト型電気掃除機以外の電気掃除機に採用することもできる。
請求項５に記載の発明は、掃除機本体（２）と、上記掃除機本体に取付けられた吸引ヘッド（３０）と、を備え、上記吸引ヘッドは、上記掃除機本体の先端側に連結され、その下面に開口（３３）が形成された外ケース（３１）と、下方に吸込み口（３４）が形成され、外ケース内で上下に移動自在で、かつ、回動自在に設けられた内ケース（３２）と、上記内ケース内に収容されたロータリブラシ（９）と、を含むことを特徴とする電気掃除機（１）である。
【００１２】
この構成によれば、内ケースは、外ケース内に移動自在で、かつ、回動自在に設けられているので、ユーザが掃除動作中に掃除機本体の操作角度を変えることにより外ケースの下面が床面から浮き上がっても、内ケースは自在に回転し、また、下方に移動することで、常に床面に当接した状態となり得る。よって、吸込み口が床面から浮き上がるのを防ぐことができる。ゆえに、床面と吸込み口との密閉度を高く保って、常に安定してゴミを吸い込むことができる。
【００１３】
請求項６に記載の発明は、上記内ケース（３２）の吸込み口（３４）は、その周囲が隙間なく床面に当接し得るように、平坦にされていることを特徴とする請求項５に記載の電気掃除機（１）である。
この構成によれば、内ケースの吸込み口の周囲は平坦にされているので、吸込み口を床面に隙間なく当接し、吸込み口と床面との密閉度を高めることができる。
【００１４】
請求項７に記載の発明は、上記内ケース（３２）を下方へ付勢する付勢手段（３６）を有することを特徴とする請求項５または６に記載の電気掃除機（１）である。
この構成によれば、内ケースは、付勢手段により下方に付勢されているので、内ケースの吸込み口は、常に床面に接した状態を保つ。
請求項８に記載の発明は、上記外ケース（３１）は、上記掃除機本体（２）に回動可能に取付けられていることを特徴とする請求項５〜７に記載の電気掃除機（１）である。
【００１５】
この構成によれば、掃除時に掃除機本体を上下に動かしても、外ケースは床面に沿った状態を保ち、良好に掃除を行うことができる。
請求項９に記載の発明は、掃除機本体（２）と、上記掃除機本体に取付けられた吸引ヘッド（３）と、を備え、上記吸引ヘッドには、その先端側に、上記吸引ヘッドに対して上下に可動し、床面に常時接触し得るシャッタ（４１）が設けられていることを特徴とする電気掃除機（４０）である。
【００１６】
この構成によれば、吸引ヘッドには、シャッタが設けられているので、ユーザが掃除動作中に掃除機本体の操作角度を変えることにより吸引ヘッドが床面から浮き上がっても、シャッタが下方に移動して床面に接触し得る。よって、吸引ヘッドが床面から浮き上がっても、シャッタにより吸引ヘッドと床面との密閉度を高く保つことができる。
請求項１０に記載の発明は、上記シャッタ（４１）を下方へ付勢する付勢手段を有することを特徴とする請求項９に記載の電気掃除機（１）である。
【００１７】
この構成によれば、シャッタは、付勢手段により下方に付勢されているので、常に床面に接触した状態を保つ。
請求項１１に記載の発明は、上記吸引ヘッド（３）は、上記掃除機本体（２）に回動可能に取付けられていることを特徴とする請求項９または１０に記載の電気掃除機（４０）である。
【００１８】
この構成によれば、掃除時に掃除機本体を上下に動かしても、吸引ヘッドは床面に沿った状態を保ち、良好に掃除を行うことができる。
【発明を実施するための最良の形態】
【００１９】
以下では、この発明の実施の形態を、添付図面を参照して詳細に説明する。
図１は、この発明の一実施形態にかかる電気掃除機１の構成を示す正面図であり、図２は、電気掃除機１の側面図である。また、図３は、本体２を後方に傾けた状態の電気掃除機１を示す側面図である。
電気掃除機１は、長尺形状の本体２と、本体２の下部に回動自在に取付けられた吸引ヘッド３とを備え、本体２の他端部（上端部）に形成されたハンドル４を把持して、本体２を鉛直方向に対して方向に所定角度（たとえば、６０°〜８０°）だけ傾けた姿勢で使用することができる、いわゆるアップライト型（縦型）の掃除機である（図３参照）。本体２および吸引ヘッド３の下部には、それぞれ、左右一対の車輪５，６が回動可能に取付けられており、これらの車輪５，６を床面に沿って転がすことにより、電気掃除機１をスムーズに移動させることができる。この電気掃除機１は、使用しないときは、吸引ヘッド３に対して本体２を鉛直方向に起立させた姿勢で保持しておくことができる（図１、図２参照）。
【００２０】
吸引ヘッド３の底面前側には、吸込み口７が形成されている。本体２には、吸引ヘッド３の後側に、モータおよびファンを含む電動送風機８が配置されている。電気掃除機１を用いて掃除を行う際には、電動送風機８を駆動させることにより、吸込み口７の外側の空気とともに、吸込み口７に対向する床面上の塵埃が吸込み口７から吸引ヘッド３内に吸い込まれる。
【００２１】
吸引ヘッド３の内部前側には、水平軸線まわりに回転可能なロータリブラシ９が配置されている。ロータリブラシ９には、電動送風機８のモータの回転力が伝達されるようになっている。従って、電動送風機８が駆動されると、ロータリブラシ９が回転されて床面上の塵埃が掻き上げられて、塵埃が良好に吸引ヘッド３内に吸い込まれる。
本体２には、吸引ヘッド３から吸引した空気に含まれる塵埃を捕獲するための集塵装置１０が着脱可能に取付けられている。吸引ヘッド３には、ホース１１の一端部が接続されており、ホース１１の他端部は本体２に接続されている。これにより、吸込み口７から吸引ヘッド３に吸い込まれた空気および塵埃は、ホース１１内を通って、本体２に送られる。さらに、ホース１１を通って本体２内に吸い込まれた空気および塵埃は、集塵装置１０に送られるようになっており、吸込み口７から吸い込まれた空気および塵埃は、集塵装置１０に送られる。
【００２２】
集塵装置１０内に空気とともに送られた塵埃は、集塵装置１０内を通過する過程で捕獲され、空気だけが集塵装置１０から排出され、さらに、本体２に形成された排気口１２から機外に排出される。
図４は、吸引ヘッド３の構成を詳しく示す正面図であり、図５は、図４に示す吸引ヘッド３を切断線Ａ−Ａで切断した状態を示す図である。なお、図４においては、一部が切り欠かれて示されている。
【００２３】
吸引ヘッド３には、吸引ヘッド３の外観を構成するヘッドケース１３と、ヘッドケース１３内に設けられたロータリブラシ９と、ロータリブラシ９を回転可能に保持する保持ケース１７とが備えられている。
ヘッドケース１３の下面には、吸込み口７が形成されている。
ロータリブラシ９には、水平方向に延びる略円柱状の回転軸１４と、回転軸１４の周面に植立された複数の毛束１５とが備えられている。そして、回転軸１４の周面の一部が吸込み口７に臨んでいる。
【００２４】
毛束１５は、複数の毛が束となって植立されることにより柱状に形成されており、回転軸１４の径方向外側に延びている。また、回転軸１４の周面において、複数の毛束１５が回転軸１４の軸方向にらせん状に延びるように配列されており、この毛束１５の列が２列形成されている。そして、これらの毛束１５の列は、回転軸１４の回転方向に１８０°隔てて配置されている。
【００２５】
また、回転軸１４の両端部には、略円板形状の係止体１６が設けられており、回転軸１４の一端部近傍には、プーリ１８が形成されている。
係止体１６の径は、回転軸１４の径よりも大きくされており、回転軸１４と一体となって回転する。
プーリ１８には、図示しないベルトが巻回されるようになっており、そのベルトおよびプーリ１８を介して、前述のように電動送風機８のモータの回転力がロータリブラシ９に伝達される。
【００２６】
保持ケース１７は、断面形状が半円弧状であって、ロータリブラシ９の長さとほぼ同程度の長さを有している。また、保持ケース１７の両端部には、軸受け１９が形成されている。
軸受け１９は、ロータリブラシ９の係止体１６と係合しており、係止体１６を回転可能に保持している。これにより、ロータリブラシ９は、保持ケース１７内において、水平軸線まわりに回転可能に保持される。
【００２７】
また、保持ケース１７の軸受け１９と、ヘッドケース１３の下面との間には、ばね２０が設けられている。これにより、保持ケース１７は、ばね２０により上方に付勢されている。
また、保持ケース１７の上部には、保持ケース１７の幅方向に所定間隔を隔てて配置される一対の凸部２１が突出形成されており、さらに、その一対の凸部２１が保持ケース１７の長さ方向に所定間隔を隔てて配置されている。すなわち、保持ケース１７の上部には、４つの凸部２１が形成されている。
【００２８】
保持ケース１７内には、保持ケース１７の長さ方向に移動可能なレバー２２が設けられている。
レバー２２は、長手形状であって、その長さ方向と保持ケースの長さ方向とを同一としている。レバー２２の下面には、接合面２３と、接合面２３から上方に窪む２つの凹部２４とが形成されている。また、レバー２２の上面には、上方に突出する操作部２５が設けられている。
【００２９】
凹部２４は、保持ケース１７の上部に形成された一対の凸部２１とそれぞれ係合し得る形状とされている。
操作部２５は、ヘッドケース１３の上面に形成された孔１３ａを介してヘッドケース１３の上方に突出している。これにより、ヘッドケース１３から突出した操作部２５を掴んで保持ケース１７の長さ方向（左右方向）に動かすことで、レバー２２を保持ケース１７の長さ方向（左右方向）に動かすことができる。
【００３０】
そして、掃除動作中において、たとえば、掃除を行う床面がフローリングなどのハードフロアである場合には、図４および図５に示すように、操作部２５が保持ケース１７の長さ方向の一方側（図４においては、右方）に移動され、レバー２２の凹部２４と保持ケース１７の凸部２１とが係合される。そして、保持ケース１７はヘッドケース１３内において上方に位置される。
【００３１】
この状態では、ロータリブラシ９を回転させた状態で、その周囲に植立された毛束１５の先端が、ヘッドケース１３の吸込み口７にほぼ到達するようにされている。すなわち、毛束１５が吸込み口７から突出しないようにされている。また、ヘッドケース１３の下面がフロアの上面に当接しており、吸込み口７とフロアとの密閉度が高く保たれている。
また、掃除を行う床面が、たとえば、絨毯である場合には、図６および図７に示すように、操作部２５が保持ケース１７の長さ方向の他方側（図において左方）に移動され、レバー２２の接合面２３が保持ケース１７の凸部２１に当接し、レバー２２が、ばね２０の付勢力に抗して、ヘッドケース１３内において保持ケース１７を下方に位置させる。
【００３２】
この状態では、ロータリブラシ９を回転させた状態で、その周囲に植立された毛束１５の先端が、ヘッドケース１３の吸込み口７から下方に突出している。また、ヘッドケース１３の下面が絨毯の上面に当接しており、吸込み口７と絨毯との密閉度が高く保たれている。
このようにして、ロータリブラシ９の毛束１５の吸込み口７からの露出量は、吸引ヘッド３の操作部２５を操作することで調整される。
【００３３】
以上のように、この実施形態では、吸込み口７から下方に露出する毛束１５の露出量を調整することができる。よって、床面の状態に応じて、吸込み口７から露出する毛束１５の露出量を調整することで、常に安定してゴミを吸い込むことができる。たとえば、床面が絨毯である場合には、吸込み口７から露出する毛束１５の露出量を大きくすることで、絨毯表面に吸込み口７を密閉した状態で、ロータリブラシ９の毛束１５が絨毯を掻き上げるように動き、絨毯上やその中に貯まったゴミを良好に掻き上げて吸引ヘッド３内に吸い込むことができる。また、床面がフローリング等のハードフロアである場合には、吸込み口７から露出する毛束１５の露出量を小さくすることで、ハードフロアをたたく毛束１５の量を少なくして、ハードフロアが傷むのを防いだり、騒音が大きくなるのを防いだりできる。また、毛束１５の露出量が小さく、毛束１５が吸込み口７から下方に突出しないようにすれば、ハードフロアと吸込み口７との密閉度を高く保つことができ、吸引力の低下を招かない。
【００３４】
また、操作部２５を操作することで、ばね２０の付勢力に抗して保持ケース１７を下方に変位させることができる。よって、簡易な操作で保持ケース１７に保持されたロータリブラシ９を下方に変位させることができる。
また、電気掃除機１は、吸引ヘッド３が、本体２の下部に回動自在に取付けられているアップライト型電気掃除機なので、掃除時に本体２を上下に動かしても、吸引ヘッド３は床面に沿った状態を保ち、良好に掃除を行うことができる。
【００３５】
なお、上述の説明においては、吸引ヘッド３は、アップライト型電気掃除機に用いられるとしたが、吸引ヘッド３を一端が本体２に接続されたホース２の他端に接続し、そのホースを介して本体２に接続してもよい。すなわち、吸引ヘッド３をアップライト型電気掃除機以外の電気掃除機に採用してもよい。
また、上述の説明においては、ロータリブラシ９を上下に移動させることで、すなわち、毛束１５の露出量を調整することで、毛束１５と床面との接触状態を調整したが、ヘッドケース１３の下部が上下に移動可能な構成とされ、そのヘッドケース１３の下部にロータリブラシ９が回動可能に取付けられていても良い。このようにすれば、ヘッドケース１３の下部を上下に移動させることで、ロータリブラシ１５と床面との距離を調整することができ、毛束１５と床面との接触状態を調整することができる。
【００３６】
図８は、この発明の他の実施形態にかかる吸引ヘッド３０の構成を詳しく示す正面図であり、図９は、図８に示す吸引ヘッド３０を切断線Ｂ−Ｂで切断した状態を示す図である。なお、図８においては、一部が切り欠かれて示されている。また、吸引ヘッド３０を用いた電気掃除機の外観構成等については、上述の電気掃除機１と同様であるため説明を省略する。また、以下の吸引ヘッド３０の説明においては、上述の説明と同様の構成については、同一の参照符号を付することにより説明を省略する。
【００３７】
吸引ヘッド３０には、吸引ヘッド３０の外観を構成する外ケース３１と、外ケース３１内に設けられた内ケース３２とが備えられている。
外ケース３１の下面には開口３３が形成されており、外ケース３１内に設けられた内ケース３２の下部が開口３３に臨んでいる。
内ケース３２は、ロータリブラシ９の長さとほぼ同程度の長さを有する略筒状の部材であって、その下面に吸込み口３４が形成されている。また、内ケース３２の両端部には、軸受け３５が形成されている。
【００３８】
内ケース３２の下面であって、吸込み口３４の周囲を形成する周囲部３７は、床面に隙間なく当接し得るように平坦に形成されている。
軸受け３５は、ロータリブラシ９の係止体１６と係合しており、係止体１６を回転可能に保持している。これにより、ロータリブラシ９は、内ケース３２内において回転可能に保持される。また、軸受け３５は、外ケース３１内において上下に移動自在で、かつ、回動自在に保持されている。これにより、内ケース３２は、外ケース３１内で上下に移動自在で、かつ、回動自在とされている。
【００３９】
また、内ケース３２の軸受け３５と、外ケース３１の上面との間には、ばね３６が設けられており、内ケース３２は、ばね３６により下方に付勢されている。
これにより、掃除動作中において、たとえば、ユーザが本体２を操作することにより、外ケース３１が床面から浮き上がっても、内ケース３２が下方に付勢されているため、内ケース３２が床面に当接する。また、内ケース３２は、回動自在とされているため、周囲部３７が良好に床面に当接する（図９参照）。
【００４０】
そして、この状態から外ケース３１が床面に当接するように下方に押さえられると、ばね３６が縮んで、外ケース３１と内ケース３２との距離が縮まる。すなわち、内ケース３２は、外ケース３１内において上方に位置する。また、再度、外ケース３１が床面から浮き上がると、ばね３６の付勢力により内ケース３２が、外ケース３１内において下方に位置し、内ケース３２と床面との当接状態が保たれる。
【００４１】
以上のように、この実施形態では、内ケース３２は、外ケース３１内に上下に移動自在で、かつ、回動自在に設けられているので、ユーザが掃除動作中に本体２の操作角度を変えることにより外ケース３１の下面が床面から浮き上がっても、内ケース３２は自在に回転し、また、下方に移動することで、常に床面に当接した状態となり得る。よって、吸込み口３４が床面から浮き上がるのを防ぐことができる。ゆえに、床面と吸込み口３４との密閉度を高く保って、常に安定してゴミを吸い込むことができる。
【００４２】
また、内ケース３２の周囲部３７は平坦に形成されているので、吸込み口３４を床面に隙間なく当接し、吸込み口３４と床面との密閉度を高めることができる。
また、内ケース３２は、ばね３６により下方に付勢されているので、内ケース３２の吸込み口７は、常に床面に接した状態を保つ。
また、ばね３６は、吸込み口３４から隔離された場所に設けられているので、吸込み口３４から吸い込まれた塵埃がばね３６に挟まり、ばね３６の付勢動作が妨げられるのを防止できる。
【００４３】
図１１は、この発明のさらに他の実施形態にかかる電気掃除機４０の構成を示す側面図である。なお、電気掃除機４０の説明においては、上述の説明と同様の構成については、同一の参照符号を付することにより説明を省略する。
電気掃除機４０の吸引ヘッド３の先端側には、シャッタ４１が備えられている。
シャッタ４１は、吸引ヘッド３の先端側を覆う形状とされており、軸部４２を中心として上下に可動とされている。また、シャッタ４１の先端部４３には、前方に向かって傾斜するテーパー面が形成されている。また、図１１においては、図示しないが、軸部４２には、たとえば、ばねが取付けられており、シャッタ４１は、軸部４２を中心として常に下方に付勢されている。
【００４４】
これにより、吸引ヘッド３の先端と床面との間に隙間があったとしても、シャッタ４１が常に床面に接触する。また、シャッタ４１の先端部４３にはテーパー面が形成されているので、たとえば、掃除動作中に先端部４３を壁等に押し付けると、先端部４３のテーパー面が壁に沿うようにして押し上げられ、シャッタ４１がばねの付勢力に抗して上方に移動する。これにより、シャッタ４１が妨げとなり、吸引ヘッド３から吸い込むことができなかった壁際のゴミ等を、シャッタ４１を上方に移動させることで、吸引ヘッド３から良好に吸い込むことができる。
【００４５】
以上のように、この実施形態では、吸引ヘッド３には、シャッタ４１が設けられているので、ユーザが掃除動作中に本体２の操作角度を変えることにより吸引ヘッド３が床面から浮き上がっても、シャッタ４１が下方に移動して床面に接触し得る。よって、吸引ヘッド３が床面から浮き上がっても、シャッタ４１により吸引ヘッド３と床面との密閉度を高く保つことができる。
【００４６】
また、シャッタ４１は、ばねにより下方に付勢されているので、常に床面に接触した状態を保つ。
この発明は、以上説明した実施形態に限定されるものではなく、請求項記載の範囲内において種々の変更が可能である。
【図面の簡単な説明】
【００４７】
【図１】この発明の第１の実施形態にかかる電気掃除機の構成を示す正面図である。
【図２】図１に示す電気掃除機の側面図である。
【図３】本体を後方に傾けた状態の電気掃除機を示す側面図である。
【図４】吸引ヘッドの構成を詳しく示す正面図である。
【図５】図４に示す吸引ヘッドを切断線Ａ−Ａで切断した状態を示す図である。
【図６】ロータリブラシが下方に移動した状態の吸引ヘッドの構成を詳しく示す正面図である。
【図７】図６に示す吸引ヘッドの断面図である。
【図８】この発明の第２の実施形態にかかる吸引ヘッドの構成を詳しく示す正面図である。
【図９】図８に示す吸引ヘッドを切断線Ｂ−Ｂで切断した状態を示す図である
【図１０】外ケースが下方に移動した状態の吸引ヘッドの構成を詳しく示す断面図である。
【図１１】この発明の第３の実施形態にかかる電気掃除機の構成を示す側面図である。
【符号の説明】
【００４８】
１      電気掃除機
２      本体
３      吸引ヘッド
７      吸込み口
９      ロータリブラシ
１３    ヘッドケース
１４    回転軸
１５    毛束
１７    保持ケース
１９    軸受け
２０    ばね
２２    レバー
２５    操作部
３０    吸引ヘッド
３１    外ケース
３２    内ケース
３３    開口
３４    吸込み口
３６    ばね
４０    電気掃除機
４１    シャッタ
【図１】
2006174859.tif 000003
【図２】
2006174859.tif 000004
【図３】
2006174859.tif 000005
【図４】
2006174859.tif 000006
【図５】
2006174859.tif 000007
【図６】
2006174859.tif 000008
【図７】
2006174859.tif 000009
【図８】
2006174859.tif 000010
【図９】
2006174859.tif 000011
【図１０】
2006174859.tif 000012
【図１１】
2006174859.tif 000013